(57)【特許請求の範囲】
【請求項１】
水平二方向に配列し、少なくともいずれか一方向に架設される桁部材で繋がれる複数本の柱に支持される緊急避難台用の床版であり、
幅方向に互いに密着しながら前記桁部材の架設方向である前記一方向に配列する角形の断面形状をした複数本の木材からなる床板と、この床板を前記木材の幅方向に同時に貫通し、全木材を一体化させる緊張材と、前記床板の幅方向両側に配置され、前記全木材の長さ方向の端部を上下方向に同時に挟み込みながら、前記床板をその幅方向に挟み込み、前記全木材を同時に拘束する側部材と、前記床板の長さ方向両側に配置され、前記床板の長さ方向両側に位置する木材の幅方向の側面に密着し、前記緊張材の緊張力による圧縮力を前記木材の長さ方向に分散させ、全長に均等に作用させる端部材とを備え、前記緊張材はこの両側の端部材間に挿通していることを特徴とする緊急避難台用床版。
【請求項２】
前記端部材の前記床板側の面は前記側部材の長さ方向の端面に係止し、前記側部材は前記緊張力の反力を負担する状態にあることを特徴とする請求項１に記載の緊急避難台用床版。
【請求項３】
前記床板の下面側に、前記桁部材上に載置される梁部材が配置され、この梁部材上に、前記床板の幅方向に間隔を置き、前記床板の長さ方向を向いて前記梁部材上に載置される根太が配置され、前記床板の底面に前記根太が納まる凹部が前記床板の長さ方向に連続して形成され、この凹部の内周面に前記根太が入り込み、前記凹部に前記床板の幅方向両側に係合していることを特徴とする請求項１、もしくは請求項２に記載の緊急避難台用床版。
【発明の詳細な説明】
【技術分野】
【０００１】
本発明は例えば津波や高波（高潮）の到来時等、陸上が海水に水没し得る状況下で、緊急避難場所として利用される緊急避難台用の床版に関するものである。
【背景技術】
【０００２】
津波用の避難台等、緊急時の避難場所として使用される避難台は基本的に地上からの高さを確保する下部構造としての柱と、柱上に敷設される上部構造としての床版（床板）から構成される（特許文献１、２参照）。ここで、床版の軽量化と防錆の目的で、あるいは間伐材の有効利用等の目的で、床材に木材を使用する場合には、複数本の木材を１枚の床板として一体化させるための工夫が必要になる。床板の構成材料は避難台の主要構成部材の中で占める比率が高いため、床材に木材を使用することには、海水に対する防錆処理の量を低減できる意味がある。
【０００３】
床材としての木材は角形の断面形状に加工され、規格（寸法）が統一された形の角材として使用されることになるが、複数本の角材から床板を構成する場合には、木材（角材）を幅方向に束ね、全木材を幅方向に貫通するボルト、ＰＣ鋼棒等の緊張材によって圧着させ、一体化させる方法が合理的であると考えられる（特許文献３、４参照）。その場合、複数本の木材からなる床板は下部構造とは独立して製作されるため、下部構造（柱）上には落とし込まれることにより載置され、各柱に接合されることになる。
【先行技術文献】
【特許文献】
【０００４】
【特許文献１】特開２００８−１８００５５号公報（図２、図１１）
【特許文献２】特開２０１１−１２２４２４号公報（図１〜図３）
【特許文献３】特開２００５−２５６５３８号公報（図３）
【特許文献４】特開２００９−２２８３６１号公報（図２、図３）
【発明の概要】
【発明が解決しようとする課題】
【０００５】
しかしながら、緊張材が貫通する挿通孔と緊張材表面との間にクリアランスがあれば、各木材がクリアランスの範囲内で緊張材に対して自由に変位し得る状態にあるため、クリアランスがモルタル等の充填材で埋められない限り、木材の本数が多くなれば、複数本の木材を１枚板として扱うことが困難になることが想定される。全木材は幅方向に圧縮力が与えられることによる摩擦力や接着剤の付着力によって平板としての一体性を保つことになるが、木材の長さ方向の両端部において梁や桁に支持される床板としての使用状態では上載荷重（活荷重）を受けるため、実質的にクリアランスがなくとも各木材が独立して面外方向に変位する可能性がある。
【０００６】
また木材を幅方向に挿通する緊張材を用い、木材の幅方向に圧縮力を与えた状態で複数本の木材を一体化させる場合、木材の本数が増加すれば、１本の木材の圧縮変形量の差の累積が、木材の束からなる床板の寸法に無視し得ない影響を与える可能性がある。木材の幅方向の収縮量が長さ方向に一定でなければ、複数本の木材の一体性を確保し、床板を完成させたときの床板の平面形状が整形（長方形）でなくなる製作誤差が発生し得る。
【０００７】
木材は幅方向に互いに密着（接触）した状態で配列することで、理論上、緊張材の緊張力による圧縮力は全面に均等に作用するが、各木材の幅方向の収縮量が長さ方向に一様でない限り、床板としての長さ方向の収縮量が幅方向に一定でなくなることが想定される。結果として、完成状態で床板が整形でなくなり、床板を下部構造としての柱等の上に載置したときに、柱等との接合部において製作誤差を吸収するための処理を必要とすることが起こり得る。
【０００８】
本発明は上記背景より、緊急避難場所の床版の構成材として複数本の木材を使用し、全木材を束ねて床板を構成する場合に直面する床板の幅方向及び長さ方向の変形を抑制し得る形態の緊急避難台用床版を提案するものである。
【課題を解決するための手段】
【０００９】
請求項１に記載の発明の緊急避難台用床版は、水平二方向に配列し、少なくともいずれか一方向に架設される桁部材で繋がれる複数本の柱に支持される緊急避難台用の床版であり、
幅方向に互いに密着しながら前記桁部材の架設方向である前記一方向に配列する角形の断面形状をした複数本の木材からなる床板と、この床板を前記木材の幅方向に同時に貫通し、全木材を一体化させる緊張材と、前記床板の幅方向両側に配置され、前記全木材の長さ方向の端部を上下方向に同時に挟み込みながら、前記床板をその幅方向に挟み込み、前記全木材を同時に拘束する側部材と、前記床板の長さ方向両側に配置され、前記床板の長さ方向両側に位置する木材の幅方向の側面に密着し、前記緊張材の緊張力による圧縮力を前記木材の長さ方向に分散させ、全長に均等に作用させる端部材とを備え、前記緊張材はこの両側の端部材間に挿通していることを構成要件とする。
【００１０】
緊急避難台は水平二方向に配列する複数本の柱と、一方向に配列する柱を繋ぐ桁部材からなる下部構造と、下部構造上に載る上部構造としての床版から構成される。床版は少なくとも複数本の木材を束ねた形の床板と、床板を構成する全木材をその幅方向に貫通し、一体化させる緊張材と、床板の幅方向両側に配置される側部材と、床板の長さ方向両側に配置される端部材から構成される。
【００１１】
床板は木材が幅方向に密着して配列することにより構成され、その配列方向が桁部材の架設方向であるため、木材の長さ方向（軸方向）は床板の幅方向であり、木材の幅方向が床板の長さ方向である。よって請求項１における「水平二方向」は床版（床板）の幅方向と長さ方向を指し、「桁部材の架設方向（一方向）」は床版（床板）の長さ方向を指している。床版（床板）の幅方向に対向する柱は桁部材間に架設され、床版を支持する梁部材によって繋がれる。梁部材は予め床板に一体化する場合と、複数本の柱（下部構造）に一体化する場合がある。
【００１２】
梁部材は桁部材間に架設された状態で床板を含む床版を支持するため、予め床版に一体化するか、柱、あるいは桁部材に一体化しているかに応じ、床版の一部になる場合と下部構造の一部になる場合がある。図３、図４に示すように梁部材が床板と側部材及び端部材からなる床版に一体化する場合には、梁部材とその上に載置される後述の根太は床版の一部として扱われ、予め桁部材間に架設されている場合には、下部構造の一部になる。
【００１３】
側部材は束ねられた全木材からなる床板の幅方向（木材の長さ方向）の端部を上下方向に同時に挟み込むことで、全木材を１枚板の床板として一体化させ、各木材が独立して上下方向に挙動することを防止する。側部材が床板の幅方向両側において全木材の長さ方向の端部を高さ方向（床板の厚さ方向）に挟み込むことで、端部材から全木材への圧縮力導入による圧着効果と併せ、上載荷重による各木材の独立した挙動が拘束されるため、床板としての一体性が確保され、全木材からなる床板を１枚板として扱うことが可能になる。
【００１４】
側部材はまた、床板の幅方向に向き合って対になることで、床版が下部構造に支持され、側部材が下部構造の柱、もしくは桁部材等に接合されたときに、全木材を床板の面内幅方向に挟み込み、幅方向中央部側へ拘束しながら、全木材を床板の面外方向に同時に拘束する状態にする。側部材は下部構造のいずれかの部分に直接、もしくは間接的に接合される。「直接」とは、側部材が下部構造の例えば柱、もしくは桁部材、あるいは下部構造の一部である場合の梁部材等に接合されることを言い、「間接的に」とは、側部材が上部構造の一部である場合の梁部材に接合され、梁部材が柱、もしくは桁部材等に接合されることを言う。
【００１５】
柱は水平二方向に配列することで、桁部材の架設方向に直交する方向には対向するため、側部材が柱や桁部材等、柱が対向する方向に対になる下部構造のいずれかの部分に接合されたときに、例えば柱等、あるいは図５に示すように梁部材や下部構造への接合用の部材（接合部材１０ａ）に楔形の形状を与えておけば、下部構造上への床版の落とし込みに伴い、側部材が柱等から床板の幅方向中央部側へ向かう力を受けることができる。結果として全木材をその長さ方向（床板の幅方向）に挟み込み、拘束する効果が生ずる。この場合の柱や接合部材等に与えられる楔形は上方から下方へかけて床板の幅方向外側から内側に向かう傾斜面を有する形状になり、各木材は長さ方向（軸方向）に適度の圧縮力を受けた状態になる。
【００１６】
このように床板と側部材を含む床版を下部構造としての柱に支持させたときに、側部材が下部構造のいずれかの部分から床板の幅方向中央部側へ向かう力を受けることができれば、側部材による全木材（床板）の拘束効果が向上するため、各木材の高さ方向（床板の厚さ方向（面外方向））の変位に対する安定性が向上する。
【００１７】
側部材は床板の長さ方向の全長に亘る場合と、端部材が配置される床板の長さ方向の端部を除いた区間に亘る場合がある。同様に端部材は床板の幅方向の全長（全幅）に亘る場合と、側部材が配置される床板の幅方向の端部を除いた区間に亘る場合がある。原則として側部材が床板の長さ方向の全長に亘る場合には、端部材が床板の長さ方向の両端部（両側）に位置する木材の長さ方向の端部を除いた区間に亘り、端部材が床板の長さ方向の両端部に位置する木材の全長に亘る場合には、側部材が床板の長さ方向の端部を除いた区間に亘る。但し、床板の隅角部位置では側部材と端部材が交わり、重複することもある。
【００１８】
側部材と端部材が交差する床板の隅角部位置における側部材と端部材の関係は、主に側部材の長さ方向（軸方向）の端部を端部材の床板側（木材側）に配置するか否かの取り合いによって決まる。図１−（ｄ）に示すように側部材８の長さ方向（軸方向）の端面を端部材９の床板側に配置すれば、端部材９の床板５側の面が側部材８の長さ方向の端面に係止する状態（請求項２）になり、端部材９から木材６（床板５）に作用する緊張力の反力としての圧縮力（プレストレス）の一部を側部材８が負担し得る状態になる。
【００１９】
また例えば側部材の長さ方向の端部に、床板の長さ方向の両端部に位置する木材の幅方向の側面に重なる板（エンドプレート）を一体化させれば、側部材が床板の隅角部において床板の長さ方向の端部と幅方向の端部を同時に床板の厚さ方向に拘束し、床板の外周側から面内方向に拘束する状態になる。端部材の長さ方向の端部に、床板の長さ方向の両端部に位置する木材の長さ方向の端面に重なる板（エンドプレート）を一体化させても、同様の効果が得られる。
【００２０】
端部材は束ねられた全木材からなる床板の長さ方向（木材の幅方向）の両側に位置する木材の実質的に全長に亘り、木材の幅方向の側面に密着し、床板の長さ方向に向き合って対になることで、床板の長さ方向両側に位置する木材を床板の長さ方向に挟み込み、全木材を床板の長さ方向に拘束する。端部材は床板の長さ方向の両側に位置する木材の側面に重なり、主に緊張材の緊張力を木材の長さ方向に分散させて木材に作用させる働きをし、側部材のように全木材の長さ方向の端部を揃える役目を持たないため、側部材のように必ずしも木材を上下方向に挟み込む必要はない。但し、端部材が木材の側面に重なった状態での上下方向のずれを防止し、接合状態での端部材の安全性を高める目的で、端部材は木材を上下方向に挟み込むこともあり、その場合、端部材は木材を床板の面外方向にも拘束する。
【００２１】
「端部材が木材の実質的に全長に亘る」とは、前記のように床板の幅方向両側に配置される側部材が床板の長さ方向両側に位置する木材の長さ方向の両端部を上下から挟み込むことがあるため、その側部材の長さ方向端部を除き、木材の全長に亘ることの意味であり、端部材は完全に木材の全長に亘る場合と、側部材との交差部分を除いた区間に亘る場合がある。側部材の長さ方向の両端部が床板の長さ方向両側に位置する木材を挟み込まない場合に、端部材は木材の全長に亘ることがある。
【００２２】
端部材も、床板が下部構造に支持され、桁部材の架設方向に対になる下部構造のいずれかの部分に接合されたときに、下部構造から床板の長さ方向中央部側へ向かう力を受けることができれば、全木材をその幅方向（床板の長さ方向）に挟み込む効果が付加されるため、全木材を床板の長さ方向に挟み込み、緊張材による全木材の一体性を補う効果が生ずる。下部構造から端部材に床板の長さ方向を向く力を与えることは、図５における接合部材１０ａと同様に、例えば床板の長さ方向両側に位置する柱等の床板側の面に、上方から下方へかけて床板の長さ方向外側から内側に向かう傾斜面を与えておくことにより可能になる。
【００２３】
端部材はまた、床板の長さ方向両側に位置する木材の実質的に全長に亘り、木材の幅方向側面に重なって配置されることで、緊張材から木材の幅方向に導入される緊張力の反力として作用する圧縮力（プレストレス）を木材の長さ方向に分散させ、全長に均等に作用させる働きをする。端部材は圧縮力を木材の長さ方向に均等に作用させることで、緊張力が木材の一部に集中して作用することを防止し、基本的に圧縮力による床板の長さ方向の収縮量が全体的に床板の幅方向（木材の長さ方向）に一様になるように機能する。
【００２４】
端部材の長さ方向両端部は側部材の長さ方向両端部に接合される場合と、接合されない場合がある。接合される場合には、緊張材への緊張力の導入後、すなわち全木材へのプレストレス導入後の全木材の収縮完了後に接合され、接合により側部材の端部と端部材の端部同士の連続性が確保され、両部材間での力の伝達が可能になるため、全木材の一体性が向上し、床板の安定性が高まる。
【００２５】
緊張材は原則的に端部材の長さ方向の複数箇所に分散して配置され、端部材と全木材を貫通し、端部材に定着されることにより端部材を介して緊張力を床板の長さ方向（木材の幅方向）の圧縮力として作用させる。緊張材に与えられる緊張力の反力は端部材が受けるため、この緊張力の反力が端部材から木材に圧縮力として作用する。端部材と全木材には木材の幅方向に、緊張材が挿通する挿通孔が穿設されるが、端部材からの圧縮力を全木材に偏心することなく作用させる上で、挿通孔の中心は木材の材軸に直交する断面上の中心を通る。木材の長さが特に小さく、複数本の緊張材の使用を要しないような場合には、全木材を一体化させ、床板を構成する上で、１本の緊張材の使用で足りることもある。
【００２６】
緊張材の緊張力は全木材にその幅方向に作用するが、全木材の一体性を上げるために緊張力を高めたときの緊張力が過剰になることによる圧縮変形を抑制（制御）する上では、前記のように端部材の床板側の面が側部材の長さ方向の端面に係止し、側部材が緊張力の反力を負担し、一定の大きさを超える緊張力の反力を負担する状態に置かれる（請求項２）。
【００２７】
この場合、端部材は緊張材への緊張力の導入による木材の幅方向の収縮に伴って床板の長さ方向中央部側へ移動することにより側部材に係止した状態になる。端部材が側部材に係止した状態からは、端部材の、床板の長さ方向中央部側への移動が阻止されるため、端部材の移動が停止した状態からは緊張材への緊張力の増加があっても、木材に導入される圧縮力の大きさは制限される。
【００２８】
「端部材が側部材の端面に係止した」状態は緊張材への緊張力の導入終了後の状態であり、緊張力の導入前の状態では端部材は側部材に係止した状態にはなく、両部材間にクリアランスが確保されている。緊張材への緊張力の導入に伴い、端部材の木材側の面が側部材の長さ方向の端部（端面）に係止することで、側部材は木材の幅方向に与えられる圧縮力が一定の大きさを超える事態を阻止し、圧縮力の大きさを制限する機能を発揮する。
【００２９】
束ねられた全木材からなる床板とその幅方向両側の側部材と長さ方向両側の端部材からなる床版は複数本の柱からなる下部構造に支持されたときに使用状態になる。請求項２では、床版の使用状態で端部材が側部材の長さ方向の両端部に木材側へ係止した状態になり、側部材が緊張材の緊張力による圧縮力を木材（床板）と共に分担する状態になることで、一定の圧縮力は全木材に幅方向に導入されるが、その圧縮力を超える圧縮力は側部材が負担することになる。この結果、その一定の圧縮力を超える圧縮力が木材に作用する事態が回避される。
【００３０】
木材への一定の圧縮力を超える圧縮力の作用が回避されることで、過剰な圧縮力の作用に起因し、木材の幅方向の収縮量が長さ方向に不均衡になることも回避されるため、側部材は木材の幅方向の収縮量が木材の長さ方向に一定になるように制御する働きをすることになる。
【００３１】
側部材がなければ、複数本の緊張材からの緊張力の差、あるいは各木材が圧縮力を受けたときの収縮量の差（ポアソン比）等に起因し、床板が完全な長方形を維持できず、端部材が床板の幅方向に対して傾斜することが起こり得る。それに対し、側部材が床板の幅方向両側に対になって配置されることで、両側の側部材の長さが等しい限り、端部材の傾斜が阻止されるため、圧縮力が木材の長さ方向に不均衡に作用することが防止される。
【００３２】
結果として、緊張材への緊張力の導入前から導入後にかけて床板は長さ方向に収縮しながらも、完全な長方形を維持することができるため、収縮に起因する床板の製作誤差を生じることがなくなり、柱等、下部構造との接合部において接合対象に確実に接合することが可能になる。
【００３３】
前記のように床板（床版）の長さ方向と幅方向の二方向に配列する柱の内、幅方向に対向する柱は桁部材間に架設される梁部材によって繋がれるが、床版にはこの梁部材が一体化する等により付属し、梁部材上には、床板の幅方向に間隔を置き、床板の長さ方向を向いて梁部材上に載置される根太が付属している場合もある（請求項３）。
【００３４】
この場合、床板の底面（各木材の底面）に根太が納まる凹部が床板の長さ方向に連続して形成され、この凹部の内周面に根太が入り込み、凹部に床板の幅方向両側に係合した状態にあれば（請求項３）、床板の梁部材に対する、あるいは下部構造に対する幅方向の移動（変位）に対する安定性が向上する。
【００３５】
前記のように床板はその隅角部等において下部構造の柱等、いずれかの部位に接合されることにより床板の長さ方向と共に、幅方向の移動に対して安定した状態で下部構造に支持されるが、請求項３では隅角部に加え、床板の幅方向中間部に位置する根太において梁部材に床板の幅方向のいずれの向きにも係合することで、下部構造に対する幅方向の移動に対する安定性が一層向上する。
【００３６】
請求項３ではまた、床板が床板の幅方向に架設される梁部材と、梁部材上に敷設される根太の、二方向の部材に支持されることで、あるいは二方向の部材が床板（床版）に一体構造化することで、床版の面外方向の剛性が増すため、床版の使用状態での面外方向の変形に対する安定性も確保される。
【発明の効果】
【００３７】
複数本の木材からなる床板の幅方向両側に配置される側部材が床板の幅方向両側において全木材の長さ方向の端部を高さ方向（床板の厚さ方向）に挟み込むため、端部材から全木材への圧縮力導入による圧着効果と併せ、上載荷重による各木材の独立した挙動を拘束することができ、床板としての一体性を確保し、全木材からなる床板を１枚板として扱うことが可能になる。
【００３８】
また床板の長さ方向両側に配置される端部材が床板の長さ方向両側に位置する木材の実質的に全長に亘り、側面に重なって配置されることで、木材の幅方向に作用する緊張材の緊張力による圧縮力（プレストレス）を木材の長さ方向に分散させ、全長に均等に作用させることができるため、緊張力が木材の一部に集中して作用することを防止し、圧縮力による床板の長さ方向の収縮量を全体的に木材の長さ方向に一様にすることが可能である。
【００３９】
特に端部材の床板側の面が側部材の長さ方向の端面に係止する状態にあれば、全木材に幅方向に導入される一定の圧縮力を超える圧縮力を側部材が負担するため、その一定の圧縮力を超える圧縮力が木材に作用する事態が回避され、木材の幅方向の収縮量が長さ方向に不均衡になることも回避される。
【図面の簡単な説明】
【００４０】
【図１】（ａ）は複数本の木材からなる床板の長さ方向片側に端部材を配置し、端部材と全木材を貫通する緊張材を挿通させると共に、床板の幅方向片側に側部材を配置するときの様子を示した斜視図、（ｂ）は（ａ）に示すＨ形鋼の側部材に代わる溝形鋼の側部材を示した斜視図、（ｃ）は（ａ）に示す床板の幅方向両側に側部材を配置し、端部材と組み合わせたときの様子を示した斜視図、（ｄ）は端部材を側部材に床板側へ係止させた状態で端部材と側部材を組み合わせた場合の両者の取り合いを示した斜視図である。
【図２】（ａ）は床板を構成する一部の複数本の木材を幅方向に束ねた様子を示した斜視図、（ｂ）は（ａ）の木材幅方向の側面図、（ｃ）は（ａ）の木材長さ方向の端面図である。
【図３】（ａ）は図１に示す床板を支持し、床版を構成する梁部材と、その上に敷設される根太の配置状態を示した斜視図、（ｂ）は（ａ）に示す梁部材と根太上に床板を敷設した様子を示した斜視図、（ｃ）は（ｂ）に示す床板の周囲に手摺りとそれを支持する支柱を配置した様子を示した斜視図である。
【図４】図３に示す床版を支持する下部構造の構成例を示した斜視図である。
【図５】図４に示す下部構造上に図３に示す上部構造としての床版を載置し、階段を除く緊急避難台の完成状態を示した斜視図である。
【図６】図５に示す緊急避難台の床版を示した平面図である。
【図７】図５に示す緊急避難台を床板の長さ方向に見たときの立面図である。
【図８】図５に示す緊急避難台を床板の幅方向に見たときの立面図である。
【図９】図５に示す緊急避難台の床版の背面を示した底面図である。
【図１０】図５に示す緊急避難台を図８とは反対側から見たときの立面図である。
【図１１】図５における床板の幅方向片側の拡大図である。
【図１２】図１１における床板の隅角部の拡大図である。
【発明を実施するための形態】
【００４１】
以下、図面を用いて本発明を実施するための最良の形態を説明する。
【００４２】
図１−（ａ）、（ｃ）は水平二方向に配列し、少なくともいずれか一方向に架設される桁部材３で繋がれる複数本の柱２、２を基本の構成要素とする図４に示す下部構造に支持され、緊急避難台１を構成する床版４の内、複数本の木材６の束からなる床板５の構成例を示す。下部構造と緊急避難台１を示す図４以下の図面では柱２に鋼材のＨ形鋼を使用し、桁部材３に溝形鋼を使用した場合の例を示しているが、柱２等にはコンクリート部材の他、木材も使用される。図示するように緊急避難台１の構成材料として鋼材（形鋼）を使用する場合、鋼材には防錆塗料の塗布、めっき等の防錆処理が施される。
【００４３】
床板５は桁部材３の架設方向である一方向に互いに密着しながら配列する角形の断面形状をした複数本の木材６から構成される。全木材６の幅寸法と高さ寸法は原則として揃えられるが、少なくとも高さが統一されていれば、幅方向に束ねることで一定厚さの床板５を構成することができるため、幅寸法は必ずしも統一されている必要はない。床版４は図１−（ｃ）に示すように木材６からなる床板５と、床板５を木材６の幅方向に同時に貫通し、全木材６を一体化させる緊張材７と、床板５の幅方向両側に配置され、対になる側部材８、８と、床板５の長さ方向両側に配置され、対になる端部材９、９から構成され、緊張材７は両側の端部材９、９間に挿通する。
【００４４】
側部材８は全木材６の長さ方向の端部を上下方向に同時に挟み込みながら、床板５をその幅方向に挟み込み、全木材６を同時に拘束する。側部材８は束ねられた全木材６からなる１枚板としての床板５の幅方向の両端部を上下方向に挟み込むため、床板５の幅方向の側面に突き当たるウェブと、床板５の幅方向両端部の上下面を挟持する上下のフランジを有する断面形状をし、図１−（ａ）に示すようなＨ形鋼、または（ｂ）に示すような溝形鋼の使用が適する。床板５の幅方向両端部の上下面は実質的に全木材６の長さ方向両端部の上下面である。「実質的」とは、床板５の長さ方向両端部に配置される端部材９、９が床板５の長さ方向両側に位置する木材６の長さ方向の両端部の上下面を挟み込むことがあるから、その床板５長さ方向両側の木材６、６が含まれないこともある意味である。
【００４５】
床板５の幅方向両側部分は側部材８には単純に上下のフランジ間に挟持されることにより側部材８に保持されるが、床板５の、側部材８に接触する部分に接着剤を塗布することにより、または側部材８の上下のフランジ間にボルトを貫通させることにより床板５と側部材８との接合が補われることもある。
【００４６】
端部材９は床板５の長さ方向両側に位置する木材６、６の幅方向の側面に密着することにより緊張材７の反力である圧縮力を木材６の長さ方向に均等に作用させる働きをするが、木材６の側面に密着した状態での高さ方向（床板５の厚さ方向）へのずれに対する安全性を確保するために、図１−（ａ）、（ｃ）、（ｄ）に示すように木材６を上下方向に挟み込んで保持することもある。その場合、端部材９は側部材８と同じく、床板５の長さ方向の端部に位置する木材６の側面に突き当たるウェブと、その木材６の上下面を挟持する上下のフランジを有する断面形状をし、図１−（ａ）に示すようなＨ形鋼、または溝形鋼の使用が適する。端部材９が木材６の上下面を挟持する必要がなければ、端部材９にはＴ形鋼も使用される。側部材８と端部材９に形鋼等の鋼材を使用するにも、これらには防錆処理が施される。
【００４７】
側部材８と端部材９にＨ形鋼を使用することには、Ｈ形鋼の下部フランジを側部材８、または端部材９の下に配置される梁部材１０に重ねることができるため、側部材８、または端部材９を直接、梁部材１０に接合できる意味がある。端部材９に山形鋼やＴ形鋼を使用する場合にも同様のことが言える。
【００４８】
図１−（ｃ）は床板５の長さ方向の全長に亘る長さを持つ側部材８の長さ方向端部のフランジの幅方向側面が端部材９の長さ方向の端面に接触した状態で、端部材９の端部と側部材８の端部が組み合わせられた場合の取り合い例を示している。この例では側部材８の端部のフランジが床板５の長さ方向両側に位置する木材６の長さ方向（軸方向）端部の上下面に重なっているため、端部材９が側部材８と重ならない（干渉しない）よう、床板５の幅方向両側の側部材８、８の各フランジ間に納まる程度の長さになっているが、（ｄ）に示すように端部材９が木材６の全長に亘り、端部材９のフランジが木材６の端部の上下面に重なることもある。図１−（ｃ）の例では床板５の長さ方向両側に位置する木材６の長さ方向端部の側面が側部材８の端面側に露出している。
【００４９】
図１−（ｄ）は端部材９の長さ方向端部のフランジの幅方向側面（木材６側の側面）が側部材８の長さ方向の端面に接触した状態で、両部材８、９が組み合わせられた場合の取り合い例を示している。（ｄ）では端部材９が木材６の全長に亘り、フランジが木材６の端部の上下面に重なっており、床板５の長さ方向両側に位置する木材６の長さ方向端部の端面が端部材９の端面側に露出している。
【００５０】
図１−（ｃ）、（ｄ）のいずれも、緊張材７への緊張力の導入が終了し、床板５と側部材８、８、及び端部材９、９からなる床版４の完成状態を示している。（ｄ）では特に端部材９のフランジの木材６側の側面が側部材８の端面に密着した状態にあることで、端部材９が側部材８に木材６側へ係止した状態にあり、端部材９が受ける緊張材７の反力の圧縮力の一部を側部材８が負担し、床板５の長さ方向の圧縮変形を抑制し得る状態にある。
【００５１】
図１−（ａ）、（ｃ）、（ｄ）では端部材９にＨ形鋼を使用しているが、端部材９は必ずしも木材６を上下から（高さ方向に）挟み込む必要がないため、木材６の幅方向側面のほぼ全面に重なるだけの断面形状、あるいは図５等に示すようにＬ形の断面形状の場合もある。その他、端部材９は木材６を上下から挟み込んでいる側部材８の上下のフランジを挟み込むように、ウェブにおいて側部材８の端面の全面に係止することもある。
【００５２】
図１−（ｄ）では側部材８に溝形鋼を使用しているが、側部材８に対応して端部材９にも溝形鋼を使用することがある。側部材８の端部と端部材９の端部同士はボルト等によって互いに接合されることもある。端部材９は緊張材７の緊張力による接触圧力によって床板５の長さ方向両端に位置する木材６の側面に密着し、一体化した状態を維持するが、端部材９と木材６との接合状態も、側部材８と床板５との接合状態と同様に接着剤やボルト等の併用によって補われることがある。
【００５３】
また側部材８、または端部材９に溝形鋼やＨ形鋼等のウェブとフランジを持つ断面形状の鋼材（形鋼）を使用する場合に、例えば側部材８の軸方向の端面にエンドプレートを一体化させることで、エンドプレートを床板５の長さ方向の端部に位置する木材６の端部材９側の側面に密着させることができる。また端部材９の軸方向の端面にエンドプレートを接合することで、そのエンドプレートを床板５の長さ方向両側に位置する木材の軸方向の端面に密着させることができるため、側部材８と端部材９の少なくともいずれかによって床板５を周囲から周回して包囲する状態にし、床板５の面内の二方向から中心側へむけて圧力を付与することができる。
【００５４】
緊張材７は束ねられた全木材６からなる床板５の長さ以上の長さを持ち、全木材６の同一位置に、幅方向に貫通して形成された挿通孔６ａと端部材９の挿通孔を挿通し、端部材９から突出する長さ方向の端部から緊張力が与えられた状態で端部材９に定着される。緊張材７に与えられる緊張力はその反力を負担する端部材９から全木材６に圧縮力（プレストレス）として作用するが、圧縮力がいずれの木材６にも偏心せずに幅方向に作用するよう、木材６の挿通孔６ａは、図２−（ａ）、（ｂ）に示すようにその中心が木材６の軸方向（長さ方向）に見たときの断面上の中心を通る位置に穿設される。
【００５５】
緊張材７の緊張力は端部材９の全長から木材６の長さ方向に均等に作用することから、木材６を幅方向に挿通する緊張材７が１本であっても緊張力の反力としての圧縮力が軸方向（長さ方向）の一部に集中するようなことは緩和されるが、圧縮力が木材６の長さ方向により均等に分散するよう、木材６の挿通孔６ａは木材の軸方向には複数箇所、形成され、複数本の緊張材７が使用されることが適切である。
【００５６】
緊張材７は例えばＰＣ鋼棒、ＰＣ鋼より線等のＰＣ鋼材とＰＣ鋼材を被覆するシースを持ち、シースが木材６の挿通孔６ａ内で実質的にクリアランスがない状態で挿通孔６ａを挿通することにより緊張材７に対して各木材６が床板５の厚さ方向に変位する事態が回避されている。シースが挿通孔６ａ内を挿通した状態でクリアランスが存在する場合には、そのクリアランスはモルタル、接着剤等の充填材で塞がれる。緊張材７にはＰＣ鋼材の他、繊維強化プラスチック等も使用される。
【００５７】
緊張材７の端部は端部材９の挿通孔から露出し、床板５として全木材６の一体性を確保できる程度の緊張力が与えられ、緊張力の反力を負担する端部材９から全木材６に幅方向の圧縮力が与えられた状態で、端部材９の挿通孔の周囲に配置される定着材７１に定着される。定着は図１１に示すようにナット７２等による。端部材９の挿通孔は図１−（ａ）、（ｃ）に示すようにウェブに形成される。
【００５８】
図２−（ａ）は床板５を構成する一部の複数本の木材６を幅方向に束ねた様子を示すが、全木材６には幅方向側面間を貫通する挿通孔６ａが形成される他、底面に１箇所、もしくは複数箇所、後述の梁部材１０上に載置される根太１１が納まる凹部６ｂが形成される。凹部６ｂに根太１１が納まり、根太１１が床板５の幅方向に係合することで、床板５の根太１１に対する幅方向の移動に対する安定性が確保される。また床板５がその幅方向に架設される梁部材１０と、梁部材１０上に直交して敷設される根太１１に支持されることで、床板５を含む床版４の使用状態での面外方向の変形、すなわち撓みと振動に対する安定性も確保される。
【００５９】
図３−（ａ）は床板５を支持し、床版４を構成する梁部材１０の上に根太１１を敷設した様子を、（ｂ）は根太１１上に床板５を敷設した様子を示している。（ｃ）は床板５の周囲に落下防止用の手摺り（柵）１２と支柱１３を固定した様子を示している。支柱１３は側部材８と端部材９、または梁部材１０等に溶接やボルト等により固定され、手摺り１２は支柱１３、１３間に架設されて支柱１３に固定される。床版４が下部構造に載置される前の状態では梁部材１０と根太１１が床版４に一体化している場合と、床版４に一体化せず、桁部材３に一体化している場合がある。
【００６０】
いずれの場合にも、例えば図５、図７に示すように梁部材１０の、床板５の周囲に位置する区間の床板５側に、上方から下方へかけて床板５の幅方向外側から内側（中心側）へ向かう傾斜面が形成された接合部材１０ａを溶接等により固定しておくことで、床板５の梁部材１０上への載置状態で、床板５に梁部材１０から床板５の中心側へ向かう力を与えることができる。接合部材１０ａは梁部材１０の上面（上部フランジの上面）等に固定される。
【００６１】
接合部材１０ａは梁部材１０上の、床板５の幅方向両側位置に固定され、床板５とその幅方向両側の側部材８、８、及び長さ方向両側の端部材９、９からなる床版４を並列する梁部材１０の上に載置したときに、傾斜面が楔効果により床版４の降下に伴い、床板５の幅方向中心側へ押す力を床版４（床板５）の幅方向側面に与える。床板５はその幅方向両側に位置する側部材８、８から全木材６をその長さ方向（床板５の幅方向）に拘束する力が与えられた状態になる。
【００６２】
図示しないが、同様に、床板５の長さ方向外側から内側（中心側）へ向かう傾斜面を有する接合部材を梁部材１０上の床板５の長さ方向両側位置に固定しておけば、床板５に木材６の幅方向（床板５の長さ方向）に圧縮力を付与する力を床版４（床板５）に作用させ、緊張材７による全木材６の一体性を補う効果を得ることができる。
【００６３】
図４は二方向に配列する柱２、２と、一方向の柱２、２間に架設され、柱２、２を繋ぐ桁部材３からなる下部構造の構成例を示す。一方向は床板５の長さ方向であり、それに直交する方向は床板５の幅方向になる。図４では床板５の幅方向に対向する柱２、２間に桁部材３に直交する繋ぎ材１４が架設されている様子が示されているが、床板５の幅方向に対向する柱２、２は図３に示す梁部材１０によって繋がれるため、図４に示す梁部材１４は図５に示すように不在にすることもある。
【００６４】
下部構造は柱２と桁部材３の他、桁部材３と平行に床板５の長さ方向に架設される繋ぎ材１４と、桁部材３と直交する方向の柱２、２間に架設される繋ぎ材１４から、更には上下に並列する桁部材３と繋ぎ材１４間、及び繋ぎ材１４、１４間に架設されるブレース１５、方杖等の耐震要素から構成される。
【００６５】
図５は図３に示す、梁部材１０と根太１１が付属した床版４を図４に示す下部構造上に落とし込み、柱２、２に床版５を支持させた、階段等を除く緊急避難台１の完成状態を示している。図６〜図１０は図５に示す緊急避難台１の一部を示している。図５〜図１０では床版４の幅方向片側に付属すべき昇降用の階段、もしくは梯子が省略してあるが、階段等の上部側は手摺り１２が不在の区間において床版４（床板５）に接合され、下部側は地上、もしくは堤防（防波堤）等の港湾構造物に接合される。図７中、床板５の上面（天端面）上の矢印は水勾配を示す。
【００６６】
このように上部構造としての床版４の床板５の上面は必ずしも水平面をなして配置されるとは限らず、床板５の底面も完全な水平面をなしているとは限らない。床板５の全面の厚さが一定で、上面に水勾配が付く場合には、床板５の底面が水勾配分の傾斜が付いた面上に載置され、底面が水平面上に載置される場合に、上面に水勾配が付く場合は、床板５の厚さが僅かながら、幅方向一方側から他方側へかけて次第に小さくなるように床板５が形成される。
【００６７】
図７では床板５の上面上に水勾配を付けたことに伴い、勾配の下流側になる床板５の幅方向片側に樋１６を敷設し、図５の一部拡大図である図１１、図１２に示すように前記した接合部材１０ａに樋１６を支持させている。床板５の幅方向両側には全木材６を上下から挟み込む側部材８が配置され、図１−（ｃ）、（ｄ）に示すように側部材８の上部フランジが床板５の上面に重なっているが、樋１６を設置する場合には、図７に示すように全木材６の長さ方向両端部（床板５の幅方向両側部分）の少なくとも上面を切り欠き、その床板５の端部を側部材８に差し込み、床板５の上面と側部材８の上部フランジの上面を面一にしておくことで、床板５の上面を流下する水が樋１６に流れ落ちるようにすることができる。図７では床板５の下面も切り欠き、床板５の下面と側部材８の下部フランジの下面も面一にしている。
【００６８】
床板５と側部材８、８、及び端部材９、９と緊張材７からなる床版５は図３−（ｂ）に示すように根太１１が敷設された梁部材１０上に載置されることにより各木材６の凹部６ｂにおいて根太１１に床板５の幅方向に係合し、その状態で、床板５の周囲の側部材８、８と端部材９、９においてそれぞれの下に位置する梁部材１０にボルト、溶接等により接合される。
【００６９】
梁部材１０と根太１１が付属した床版４は下部構造（柱２、２）上に落とし込まれた後、床版４の周囲のいずれかの部分において柱２、桁部材３、繋ぎ材１４等にボルト、溶接等により接合される。床版４に梁部材１０が一体化している場合には、梁部材１０が柱２、もしくは桁部材３に接合され、床版４に梁部材１０が一体化せず、予め柱２等に一体化している場合には、側部材８と端部材９が梁部材１０等に接合される。
【００７０】
前記のように床板５の長さ方向両側に位置する木材６、６の幅方向側面に密着する端部材９は必ずしも木材６を上下から挟み込む必要がないため、図５以下では端部材９にＬ形断面の山形鋼を使用し、そのウェブを木材６の側面に密着させている。
【００７１】
図５以下の例では端部材９としての山形鋼のフランジを床板５の長さ方向外側に向けた状態で、ウェブを木材６に密着させているが、フランジを木材６の底面側に向けることもある。フランジを床板５の長さ方向外側に向けることには、床板５の外側で端部材９とその下に配置される梁部材１０との接合が行える意味がある。山形鋼のフランジを木材６の底面側に向けることには、フランジの厚さ分、床板５の底面を梁部材１０の上面から浮かせることになるため、フィラープレート等の併用により床板５の勾配の調整が可能になる意味がある。
【符号の説明】
【００７２】
１……緊急避難台、
２……柱、３……桁部材、
４……床版、５……床板、
６……木材、６ａ……挿通孔、６ｂ……凹部、
７……緊張材、７１……定着材、７２……ナット、
８……側部材、９……端部材、
１０……梁部材、１０ａ……接合部材、１１……根太、
１２……手摺り（柵）、１３……支柱、
１４……繋ぎ材、１５……ブレース、１６……樋。
【図１】
0005902560.tif 000002
【図２】
0005902560.tif 000003
【図３】
0005902560.tif 000004
【図４】
0005902560.tif 000005
【図５】
0005902560.tif 000006
【図６】
0005902560.tif 000007
【図７】
0005902560.tif 000008
【図８】
0005902560.tif 000009
【図９】
0005902560.tif 000010
【図１０】
0005902560.tif 000011
【図１１】
0005902560.tif 000012
【図１２】
0005902560.tif 000013